(57)【要約】【課題】  狭いスペースであっても、リラックスした姿勢で入浴が可能な浴槽と身体を洗うのに十分な広さを確保できる洗い場とを備えることができ、且つ、入浴者の邪魔にならない位置に風呂蓋を収納できる浴室ユニットを提供する。【解決手段】  平面視で長方形状をした浴室ユニットＹにおいて、上記長方形の一方の短辺Ａの巾方向の１／２の位置よりも一方の長辺Ｃ側にずらした位置から、上記他方の短辺Ｂの巾方向の１／２の位置よりも他方の長辺Ｄ側にずらした位置に至る仮想分割線で浴室ユニットＹを分割して、一方の短辺Ａ側の巾が広く且つ他方の短辺Ｂ側の巾が狭くなった浴槽１と、一方の短辺Ａ側の巾が狭く且つ他方の短辺Ｂ側の巾が広くなった洗い場２とに分割する。洗い場２の巾が狭い一方の短辺Ａ側の部位に風呂蓋９を載せて収納する蓋収納部１２を設ける。上記蓋収納部１２の風呂蓋９の載置面１４を浴槽１の上面と面一にする。【選択図】図１
2007135640.tif 000002
【特許請求の範囲】
【請求項１】
平面視で長方形状をした浴室ユニットにおいて、上記長方形の一方の短辺の巾方向の１／２の位置よりも一方の長辺側にずらした位置から、上記他方の短辺の巾方向の１／２の位置よりも他方の長辺側にずらした位置に至る仮想分割線で浴室ユニットを分割して、一方の短辺側の巾が広く且つ他方の短辺側の巾が狭くなった浴槽と、一方の短辺側の巾が狭く且つ他方の短辺側の巾が広くなった洗い場とに分割し、洗い場の上記巾が狭い一方の短辺側の部位に風呂蓋を載せて収納する蓋収納部を設け、上記蓋収納部の風呂蓋の載置面を浴槽の上面と面一にしたことを特徴とする浴室ユニット。
【請求項２】
浴槽の上面を構成するフランジ部のうち頭部側に位置する頭部フランジ部をフランジ部の必要厚み以上に形成してこの頭部フランジ部におけるフランジ部の必要厚み以上の部位である頭部巾広フランジ部を形成し、風呂蓋を複数枚の蓋板から構成し、重合した蓋板を載置面及び頭部巾広フランジ部に載せて収納したことを特徴とする請求項１記載の浴室ユニット。
【請求項３】
蓋収納部の下部に、シャンプーボトルの容器などの入浴具を収納する入浴具収納部を設けたことを特徴とする請求項１または２記載の浴室ユニット。
【請求項４】
蓋収納部の載置面の洗い場側端部に、上記載置面に載せた風呂蓋を係止する蓋保持部を上方に突設したことを特徴とする請求項１乃至３のいずれかに記載の浴室ユニット。
【発明の詳細な説明】
【技術分野】
【０００１】
本発明は、浴室ユニットに関するものである。
【背景技術】
【０００２】
従来、設置スペースが狭い（例えば０．７５坪）場所に設置する浴室ユニットＹは、例えば、図１０に示すように、平面視で長方形状をした浴室ユニットＹを長手方向に略２分して一方の短辺Ａ側に片寄った部分を浴槽１、他方の短辺Ｂ側に片寄った部分を洗い場２としている。この場合、浴槽１に設けた浴槽部４の長辺側の寸法ａを長く取ることができず、このため、入浴に当たっては浴槽部４内の底面の一端部付近に座って背中を立てた状態で膝を折り曲げるという窮屈な姿勢で入浴しなけらばならず、足を伸ばしたり、背中を後に反らせ頭部を浴槽部４の上縁部に凭れかけるというようなリラックスした姿勢で入浴することができないという問題があった。
【０００３】
なお、平面視で正方形状をした浴室ユニットにおいて、一辺に対して傾斜した仮想分割線により、一辺側の巾が広く他辺側の巾が狭くなった浴槽１側と、一辺側の巾が狭く他辺側の巾が広くなった洗い場側とに分割するものが知られている（例えば特許文献１参照）。しかしながら、この従来例においては、設置スペースが狭い場所に設置しようとすれば、平面視で縦横の長さが同じ正方向であるため、浴槽の長手方向の寸法に、足を伸ばしたり、背中を後に反らせ頭部を浴槽部の上縁部に凭れかけるというようなリラックスした姿勢で入浴できる程度の長さを確保しようとしても、十分な長さが確保できないという問題があり、結局特許文献１に示された従来例のものは設置スペースが広い箇所にしか適用できず、設置スペースが狭い個所には適用できない。
【０００４】
しかして、浴槽、洗い場の双方を使い勝手良く且つコンパクトに配置して、狭いスペースであっても、リラックスした姿勢で入浴が可能な浴槽と、身体を洗うのに十分な広さを確保できる洗い場とを備えることができる浴室ユニットが、切望されているのが現状である。
【０００５】
また、従来、風呂蓋は不使用時には浴槽の上面や洗い場上に浴室壁に立て架けるようにして収納されるのであるが、収納された風呂蓋が浴槽内に入浴している入浴者や洗い場で洗髪等を行う入浴者にとって邪魔になったりすることもあり、デッドスペースとなっている入浴者の邪魔にならない位置に風呂蓋を収納できる浴室ユニットが、切望されているのが現状である。
【特許文献１】特開２００３−２６０００３号公報
【発明の開示】
【発明が解決しようとする課題】
【０００６】
本発明は上記の従来の問題点に鑑みて為したものであって、浴槽、洗い場の双方を使い勝手良く且つコンパクトに配置して、狭いスペースであっても、リラックスした姿勢で入浴が可能な浴槽と、身体を洗うのに十分な広さを確保できる洗い場とを備えることができ、且つ、入浴者の邪魔にならない位置に風呂蓋を収納できる浴室ユニットを提供することを課題とするものである。
【課題を解決するための手段】
【０００７】
上記課題を解決するために本発明の請求項１に係る浴室ユニットは、平面視で長方形状をした浴室ユニットＹにおいて、上記長方形の一方の短辺Ａの巾方向の１／２の位置よりも一方の長辺Ｃ側にずらした位置から、上記他方の短辺Ｂの巾方向の１／２の位置よりも他方の長辺Ｄ側にずらした位置に至る仮想分割線で浴室ユニットＹを分割して、一方の短辺Ａ側の巾が広く且つ他方の短辺Ｂ側の巾が狭くなった浴槽１と、一方の短辺Ａ側の巾が狭く且つ他方の短辺Ｂ側の巾が広くなった洗い場２とに分割し、洗い場２の巾が狭い一方の短辺Ａ側の部位に風呂蓋９を載せて収納する蓋収納部１２を設け、上記蓋収納部１２の風呂蓋９の載置面１４を浴槽１の上面と面一にしたことを特徴とする。
【０００８】
これによると、狭いスペースに設置する浴室ユニットＹであっても、浴槽１は一方の短辺Ａ側の巾が広く且つ他方の短辺Ｂ側の巾が狭くなっていることで、巾の広い方を巾の広い肩が位置する頭部側、巾の狭い方を巾の狭くてもよい足先側とすることで、足を伸ばしたり、背中を後に反らせ頭部を浴槽部４の上縁部に凭れかけるというようなリラックスした姿勢で入浴できると共に、洗い場２は一方の短辺Ａ側の巾が狭く且つ他方の短辺Ｂ側の巾が広くなっていることで、洗い場２の巾が広くなった方で身体を洗うことで身体を洗うのに十分なスペースを確保できる。また、洗い場２の巾が狭い一方の短辺Ａ側の部位は上述のように入浴者が洗髪作業等を行いにくいからデッドスペースとなるものであるが、上記洗い場２の巾が狭い一方の短辺Ａ側の部位に設けた蓋収納部１２に風呂蓋９を収納したから、入浴者の邪魔にならない浴室ユニットＹのデッドスペースに風呂蓋９を収納できたものである。また、風呂蓋９の収納に必要な巾寸法（必要収納寸法Ｊ）が蓋収納部１２を設けた洗い場２の一方の短辺Ａ側の部位の巾寸法よりも広い場合にも、風呂蓋９は面一にされた蓋収納部１２の載置面１４に加えて浴槽１の上面に載せて収納できるのであり、風呂蓋９の収納性能も向上できる。
【０００９】
また、請求項２に係る浴室ユニットは、請求項１において、浴槽１の上面を構成するフランジ部６のうち頭部Ｈ側に位置する頭部フランジ部６ａをフランジ部６の必要厚み以上に形成してこの頭部フランジ部６ａにおけるフランジ部６の必要厚み以上の部位である頭部巾広フランジ部６ａ´を形成し、風呂蓋９を複数枚の蓋板９ａから構成し、重合した蓋板９ａを載置面１４及び頭部巾広フランジ部６ａ´に載せて収納したことを特徴とする。これによると、洗い場２のデッドスペースである一方の短辺Ａ側の部位に加えて、浴槽１のデッドスペースである頭部巾広フランジ部６ａ´を、風呂蓋９の収納スペースとして利用できることから、浴室ユニットＹのデッドスペースの有効利用を図ることができる。
【００１０】
また、請求項３に係る浴室ユニットは、請求項１または２において、蓋収納部１２の下部に、シャンプーボトルの容器などの入浴具を収納する入浴具収納部１３を設けたことを特徴とする。これによると、デッドスペースとなる洗い場２の巾が狭い一方の短辺Ａ側の部位に設けた入浴具収納部１３に入浴具を収納することができ、つまり浴室ユニットＹのデッドスペースの有効活用ができる。
【００１１】
また、請求項４に係る浴室ユニットは、請求項１乃至３のいずれかにおいて、蓋収納部１２の載置面１４の洗い場側端部に、上記載置面１４に載せた風呂蓋９を係止する蓋保持部１５を上方に突設したことを特徴とする。これによると、蓋保持部１５によって、収納した風呂蓋９が載置面１４から落下することを防止することができる。
【発明の効果】
【００１２】
本発明は、浴槽、洗い場の双方を使い勝手良く且つコンパクトに配置して、狭いスペースであっても、リラックスした姿勢で入浴が可能な浴槽と、身体を洗うのに十分な広さを確保できる洗い場とを備えることができるといった利点、また、デッドスペースになりがちである浴槽の頭部側部位に隣接する洗い場の部位を、風呂蓋の収納スペースとして有効に活用できるといった利点を有する。
【発明を実施するための最良の形態】
【００１３】
以下、本発明を添付図面に示す実施形態に基いて説明する。
【００１４】
図１乃至図５には浴室ユニットＹが示してある。この浴室ユニットＹは設置スペースが狭い（例えば０．７５坪）箇所に設置されるもので、平面視長方形状をしている（例えば、平面視で短辺Ａ、Ｂがそれぞれ８９３ｍｍ、長辺Ｃ、Ｄが１６５０ｍｍとなっている）。
【００１５】
この平面視長方形状をした浴室ユニットＹは、図５の模式図に示すように、平面視で長方形の一方の短辺Ａの巾方向の１／２の位置よりも一方の長辺Ｃ側にずらした位置から、他方の短辺Ｂの巾方向の１／２の位置よりも他方の長辺Ｄ側にずらした位置に至る仮想分割線Ｅで浴室ユニットＹを２つのエリアＦ、Ｇに分割してあり、一方のエリアＦは、一方の短辺Ａ側の巾が広く且つ他方の短辺Ｂ側の巾が狭くなった浴槽１が配置され、他方のエリアＧは、一方の短辺Ａ側の巾が狭く且つ他方の短辺Ｂ側の巾が広くなった洗い場２が配置される。上記のように浴槽１側と洗い場側とを仮想分割線Ｅにより分割するのであるが、仮想分割線Ｅに沿ってエプロン５が配置される。
【００１６】
浴槽１は、上方が開口した槽である浴槽部４の開口縁の周囲にフランジ部６を設けて構成してある。浴槽部４は平面視略台形状をしており、一方の短辺Ａに近い方の台形の下底側が槽の巾が広くなっており、また、他方の短辺Ｂに近い方の台形の上底側が槽の巾が狭くなっており、上記槽の巾の広い方が入浴時に入浴者の頭が位置する頭部Ｈ側、槽の巾が狭い方が入浴時に足先Ｉ側となっている。浴槽部４の頭部Ｈ側の壁面部は平面視で上記長方形の一方の短辺Ａに対して一方の長辺Ｃ側に行くほど一方の短辺Ａから離れるように傾斜しており、このため、浴槽１のフランジ部６のうち一方の短辺Ａ側のフランジ部６である頭部側フランジ部６ａは洗い場側に行くほど巾広となっている。ここで、図５の模式図に示すように、通常フランジ部に必要とされる必要厚み（たとえば後述の洗い場側フランジ６ｃの厚み）を仮想線Ｆで示すが、洗い場側程巾広となる頭部側フランジ部６ａにおける仮想線Ｆよりも浴室壁側の部位（図５でクロスハッチングで示す部位）はデッドスペースとなる頭部側巾広フランジ部６ａ´となっている。
【００１７】
浴槽１は長辺Ａに沿っているため、浴槽部４は長辺Ａに沿って長く形成できる（例えば、約１３００ｍｍ）。しかしながら、浴槽１は長辺Ａに沿っているため上記のように浴槽部４の長さを長く取っても更に余裕があり、このため、浴槽１のフランジ部６のうち他方の短辺Ｂ側のフランジ部６である足先側フランジ部６ｂは長辺Ａに沿った方向の寸法が長くなっている。また、浴槽部４の頭部Ｈ側は一方の短辺Ａに近い浴槽１の巾広側であり、且つ、該浴槽１の巾広側は上記一方の短辺Ａの１／２以上の巾であるため、浴室ユニットＹが狭い設置スペースに設置するタイプで一方の短辺Ａの巾寸法が短いものであっても、浴槽部４の頭部Ｈ側に入浴者の頭部が位置し且つ足先が足先Ｉ側に位置するような姿勢で入浴することで、入浴者の肩、臀部等が位置する部分の槽の巾を十分に確保することができるようになっている。ちなみに、上記例で浴槽部４の頭部Ｈ側の巾は例えば約６００ｍｍ程度は確保でき、成人の大人の臀部、肩等を余裕を持って配置できる。一方、浴槽部４の足先Ｉ側の巾は狭い（例えば、約２２０ｍｍ）がこの部分は入浴者の足先が位置するだけでよいので、巾が狭くても問題はない。
【００１８】
添付図面に示す実施形態では、浴槽１を配設するエリアＦと洗い場２を配設するエリアＧとを区分けする前記仮想分割線Ｅのうち図１に示すように、浴槽部４の長手方向の大部分に沿った部分は平面視長方形状をした浴室ユニットＹの長方形の長辺Ｃ，Ｄに対して傾斜しているが、該仮想分割線Ｅのうち他方の短辺Ｂ側に近い方の部分は長辺Ｃ，Ｄと略平行となっている。
【００１９】
上記仮想分割線Ｅの他方の短辺Ｂ側に近い方の長辺Ｃ，Ｄと略平行となった部分の寸法は上記足先側フランジ部６ｂの長辺Ｃ，Ｄに沿った方向の寸法よりも長く、このため、図１に示すようにフランジ部６のうち浴槽部４の開口の洗い場側の縁部とエプロン５（仮想分割線Ｅ）との間のフランジ６である洗い場側フランジ部６ｃの他方の短辺Ｂ側に片寄った部分は洗い場側フランジ部６ｃの他の部位よりも巾広となった平面視で略三角形をした洗い場側巾広フランジ部６ｃ’となっており、この洗い場側巾広フランジ部６ｃ’が足先フランジ部６ｂに連続している。そして、上記洗い場側巾広フランジ部６ｃ’に首振り用吐水金具８が平面視で回動自在に取付けてあり、首振り用吐水金具８を浴槽部４側に回動して洗い場側巾広フランジ部６ｃ’より浴槽部４側に突出させて浴槽部４に給水（給湯）したり、あるいは、洗い場側に回動して洗い場側巾広フランジ部６ｃ’よりも洗い場側に突出させて洗い場側に給水（給湯）したりできるようになっている。ここで、上記のように首振り用吐水金具８を洗い場側巾広フランジ部６ｃ’に設けることで、洗い場側フランジ部６ｃのうち巾広となった部分を有効に利用して首振り用吐水金具８を取付けることができて、風呂蓋９をフランジ部６に載置する際に首振り用吐水金具８の取付け部分に邪魔されることなく風呂蓋９で浴槽部４を閉じることができ、また、足先フランジ部６ｂよりも他方の短辺Ｂから離れている洗い場側巾広フランジ部６ｃ’に首振り用吐水金具８を取付けることで、他方の短辺Ｂからできるだけ離して首振り用吐水金具８を取付けることができる。
【００２０】
洗い場２は床パンにより構成してあり、前述のように洗い場２は巾広側である他方の短辺Ｂ側は上記他方の短辺Ｂの１／２以上の巾であるため、浴室ユニットＹが狭い設置スペースに設置するタイプで他方の短辺Ｂの巾寸法が短いものであっても、洗い場２の他方の短辺Ｂ側は身体を動かして洗うのに十分な巾を確保でき（例えば上記実施形態では約７８０ｍｍ程度確保でき）、しかも、上記のように洗い場側巾広フランジ部６ｃ’に首振り用吐水金具８に取付けた首振り用吐水金具８は洗い場２の巾広となった部分に対向すると共に足先フランジ部６ｂよりも他方の短辺Ｂから離れているので、洗い場２の巾広となった部分で身体を洗う際に、洗い場側巾広フランジ部６ｃ’に設けた首振り用吐水金具８側を向くように座って身体を洗う動作を行なうことで、首振り用吐水金具８から吐水される湯水で顔を洗ったり、首振り用吐水金具８から吐水される湯水を洗面器に溜めたり、該洗面器に溜めた湯水を利用して身体を洗ったりする動作が無理無く楽に行えることになる。
【００２１】
浴槽部４の底部の足先Ｉ側の端部には浴槽排水口１０が設けてあり、洗い場２の上記浴槽排水口１０及び首振り用吐水金具８の近くの部位には洗い場側排水口１１が設けてある。洗い場側排水口１１には排水トラップ（図示せず）が取付けられ、排水トラップに排水管が接続してある。浴槽１は浴槽載置床パン（図示せず）に載置され、浴槽載置床パンの浴槽部４の浴槽排水口１０の直下位置に排水部を設け、浴槽排水口１０からの排水が排水部に流れるようになっており、該排水部と上記排水トラップとが接続管により接続してある。ここで、上記のように浴槽排水口１０と洗い場側排水口１１とが近づけて配置してあるので、排水部と排水トラップとを接続する配管が短くてすみ、更に、首振り用吐水金具８の近くに洗い場側排水口１１に設けてあるので、首振り用吐水金具８から流れた湯水が洗い場２に流れても該湯水が洗い場２上を流れる距離を短くできることになる。
【００２２】
浴室ユニットＹには洗い場２に面した一方の長辺Ｃに沿って出入口部３が設けてある。本例の出入口部３は洗い場２に面した上記一方の長辺Ｃの他方の短辺Ｂ側にずれた位置に設けてあって、出入口部３が洗い場２の巾広となった部分に対向し、狭い設置スペースに配置する狭い浴室ユニットＹであっても、洗い場２の巾広となった部分に出入することができて、スムーズに出入ができるようになっている。また、上記のように洗い場２に面した上記一方の長辺Ｃ側に出入口部３を設けるので、出入口部３の巾を広く取ることができ、たとえば図６，７のように３枚引戸３ａよりなる出入口部３を設けることができ、狭いスペースに設置する浴室ユニットＹであっても、巾の広い３枚引戸３ａを出入口部３に設置できて出入用開口を広く取ることが可能となる。
【００２３】
また、浴室ユニットＹの他方の短辺Ｂの浴槽１に対応する部分には図１に示すようにシャワーホース７の一端部が取付けてある。取付け位置は浴室ユニットＹの壁パネルに取付けてもよく、あるいは、足先側フランジ部６ｂに取付けてもよい。このように浴室ユニットＹの他方の短辺Ｂの浴槽１に対応する部分にはシャワーホース７の一端部を取付けても、前述のように足先側フランジ部６ｂの長辺Ｃ方向の寸法が長く取れるので、この足先側フランジ部６ｂの上方の空間を利用してシャワーホース７の収納、あるいは使用の際の洗い場側への引出し等ができる。
【００２４】
上述のように、洗い場２の他方の短辺Ｂ側は身体を動かして洗うのに十分な巾を確保できたものであるが、洗い場２の一方の短辺Ａ側は身体を動かして洗うのには十分な巾を確保できないものであり（例えば上記実施形態では約３００ｍｍ程度にされている）、しかして浴室ユニットＹの一方の短辺Ａ側（特に洗い場２の一方の短辺Ａ側における浴室壁の近傍位置）はデッドスペースとなっている。本実施形態ではデッドスペースとなる浴室ユニットＹの一方の短辺Ａ側の部位の有効活用も図られている。
【００２５】
すなわち、デッドスペースとなる洗い場２の一方の短辺Ａ側には、浴槽部４の開口に蓋をする使用状態にない風呂蓋９を収納する蓋収納部１２、蓋収納部１２の下部にシャンプーボトルの容器などの入浴具を収納する入浴具収納部１３が設けられている。蓋収納部１２は、上記浴槽１の頭部側フランジ部６ａの上面と略面一にされた風呂蓋９を載せる載置面１４と、載置面１４の洗い場側端部に上方に突設させた上記載置面１４に載せた風呂蓋９を係止する蓋保持部１５と、蓋収納部１２の上方の壁パネルから突設した風呂蓋引掛具１６とを有して構成されている。具体的に、蓋収納部１２の載置面１４及び入浴具収納部１３は浴室壁に添わせて洗い場２に載置する収納部材１７にて形成されている。収納部材１７は、図４のように金属製線材から形成されており、洗い場２に接地する脚部を下端に備えた一対の側柱部１８が収納部材１７の左右にそれぞれ立設し、左右の側柱部１８の間に上記載置面１４を構成する上面板部１９や入浴具収納部１３を形成させる複数の棚板部２０を架設して構成されている。詳しくは、上面板部１９の洗い場側端部には上方に折り曲げてなる蓋保持部１５が形成されており、上面板部１９の１段下の棚板部２０ａは略水平に架設され、入浴具の石鹸やかみそり等の小物を収納できる入浴具収納部１３の小物用収納部１３ａを形成しており、また、上記棚板部２０より下方の２段の棚板部２０ｂはそれぞれ洗い場側斜め上方に向く横片部２１と横片部２１の下端から浴室側斜め上方に立ち上がる縦片部２２とを有し、シャンプーボトルの容器などを洗い場側に向けて傾斜して載せて収納できる入浴具収納部１３の容器用収納部１３ｂを形成している。つまり、本例の入浴具収納部１３は小物用収納部１３ａと容器用収納部１３ｂとを有して構成されている。なお、本例の収納部材１７は、浴槽１のエプロン壁５と一方の長辺Ｃを構成する浴室壁との最短寸法と略同様の左右寸法を有するように形成されていてその配設状態で横ブレひいては転倒が生じにくいようにされているが、収納部材１７を浴室壁に固着させて転倒する恐れを完全に無くするようにすることも好ましい。
【００２６】
また、風呂蓋９は、浴槽１の長手方向に等分した３枚の蓋板９ａから構成されている。なお、本例の風呂蓋９は浴槽部４の開口に蓋ができるように浴槽部４の開口形状を一回り大きくしたような外形形状に形成されているが、図９のように浴槽１のフランジ部６の略全てを覆うような形状であってもよい。風呂蓋９を蓋収納部１２に収納した際には、図２，３のように、３枚の蓋板９ａを重合させた状態で載置面１４及び浴槽１の上面（頭部フランジ部６ａ）に載せ、蓋保持部１５によって載置面１４からの落下が防止されながら、上部を風呂蓋引掛具１６に引っ掛けるようにして立たせた状態で収納される。詳しくは、風呂蓋９の蓋収納部１２への収納状態では、図１のように、洗い場２のデッドスペースに位置する載置面１４及び上記浴槽１のデッドスペースである頭部側巾広フランジ部６ａ´に跨って載せて収納されているのである。
【００２７】
上記のようにデッドスペースとなる洗い場２の巾が狭い一方の短辺Ａ側の部位に蓋収納部１２を設けて風呂蓋９を収納できるようにしたので、従来問題視された収納した風呂蓋９が入浴者の邪魔になることを回避できたものであると共に、デッドスペースの有効活用も図ることができたものである。また、風呂蓋９の収納に必要な巾寸法（必要収納寸法Ｊ）が洗い場２の一方の短辺Ａ側の部位の巾寸法よりも広い場合にも、風呂蓋９は面一にされた蓋収納部１２の載置面１４に加えて浴槽１の上面（頭部側フランジ部６ａの上面）に載せて収納できるので、風呂蓋９の良好な収納性能も有したものである。詳しくは、風呂蓋９が載る頭部側フランジ部６ａには上述のように浴槽１のデッドスペースとなる頭部側巾広フランジ部６ａ´があり、蓋収納部１２に収納した風呂蓋９は上述のように洗い場２のデッドスペースに位置する載置面１４及び浴槽１のデッドスペースである頭部側巾広フランジ部６ａ´に跨って収納することができたものであり、つまり浴室ユニットＹのデッドスペースが有効に活用されているのである。更に言うと、図８のように、風呂蓋９を構成する複数枚の蓋板９ａを重合させて蓋収納部１２に載せて収納した際の蓋板９ａの浴槽側端部を、浴槽１の入浴者が入浴する槽である浴槽部４の側縁よりも洗い場側に位置させるようにする（換言すると、蓋板９ａの必要収納寸法Ｊを浴槽部４の洗い場側の側縁と一方の長辺Ｃ側を構成する浴室壁との間の寸法Ｋに比べて短くするように形成する）と、収納した風呂蓋９による圧迫感をより入浴者に与えないようにできて好ましいのである。また、デッドスペースとなる洗い場２の巾が狭い一方の短辺Ａ側の部位には入浴具収納部１３も設けられていて入浴具も収納可能にしてあり、この点でも浴室ユニットＹのデッドスペースの有効活用が図られているのである。
【図面の簡単な説明】
【００２８】
【図１】本発明の実施の形態の例の浴室ユニットの平面図である。
【図２】同上の要部（蓋収納部及び入浴具収納部）の正面図である。
【図３】図２の側面図である。
【図４】同上の収納部材であり、（ａ）は正面図であり、（ｂ）は上面図であり、（ｃ）は側面図である。
【図５】同上の浴室ユニットの模式平面図である。
【図６】本発明の実施の形態の他例の浴室ユニットの一部透視側面図である。
【図７】同上の浴室ユニットの他の方向から見た側面図である。
【図８】本発明の実施の形態の他例の浴室ユニットの平面図である。
【図９】本発明の実施の形態の更に他例の風呂蓋の平面図である。
【図１０】従来技術を説明する浴室ユニットの平面図である。
【符号の説明】
【００２９】
１  浴槽
２  洗い場
４  浴槽部
６  フランジ部
９  風呂蓋
９ａ  蓋板
１２  蓋収納部
１３  入浴具収納部
１４  載置面
１５  蓋保持部
Ａ  一方の短辺
Ｂ  他方の短辺
Ｃ  一方の長辺
Ｄ  他方の長辺
Ｙ  浴室ユニット
【図１】
2007135640.tif 000003
【図２】
2007135640.tif 000004
【図３】
2007135640.tif 000005
【図４】
2007135640.tif 000006
【図５】
2007135640.tif 000007
【図６】
2007135640.tif 000008
【図７】
2007135640.tif 000009
【図８】
2007135640.tif 000010
【図９】
2007135640.tif 000011
【図１０】
2007135640.tif 000012